(57)【要約】【課題】磁気共鳴イメージング装置において、撮影前後に開口部を自動的に開閉して、磁場による吸引事故を確実に防止することができる。【解決手段】ガントリー部防護シールド１２をガントリー１０の前面に沿って移動可能に設け、制御装置３０が、天板２１とともに移動する天板支持部２２の上下方向への移動方向を検出し、天板２１が上方向へ移動していることを検出した場合には、開口部１１の枠外にある開口部開口位置へガントリー部防護シールド１２を移動し、天板２１が下方向へ移動していることを検出した場合には、開口部１１の前面にある開口部閉口位置へガントリー部防護シールド１２を移動する。【選択図】        図１
2008302080.tif 000002
【特許請求の範囲】
【請求項１】
被検体が挿入される開口部が前面に設けられた架台と、前記開口部へ被検体とともに挿入される天板を備えた寝台とを有する磁気共鳴イメージング装置であって、
前記架台の前面に沿って移動可能に設けられた第一の防護シールドと、
前記天板の上下方向への移動方向を検出する寝台移動検出手段と、
前記寝台移動検出手段により、前記天板が上方向へ移動していることが検出された場合に、前記開口部の枠外にある開口部開口位置へ前記第一の防護シールドを移動し、前記寝台が下方向へ移動していることが検出された場合に、前記開口部の前面にある開口部閉口位置へ前記第一の防護シールドを移動するシールド制御手段と、
を備えたことを特徴とする磁気共鳴イメージング装置。
【請求項２】
前記第一の防護シールドは、前記開口部全体を掩覆可能な大きさに形成されていることを特徴とする請求項１に記載の磁気共鳴イメージング装置。
【請求項３】
前記寝台は、前記架台から遠い側にある前記天板の端部に、前記架台の前面に略平行となるように立設された第二の防護シールドを有することを特徴とする請求項１または２に記載の磁気共鳴イメージング装置。
【請求項４】
被検体が挿入される開口部が設けられた架台を有する磁気共鳴イメージング装置であって、
前記開口部の枠外にある開口部開口位置と該開口部の前面にある開口部閉口位置との間を移動可能に設けられた防護シールドを有し、該防護シールドが、前記開口部全体を掩覆可能な大きさに形成されていることを特徴とする磁気共鳴イメージング装置。
【請求項５】
被検体が挿入される開口部が前面に設けられた架台と、前記開口部に被検体とともに挿入される天板を有する寝台とを有する磁気共鳴イメージング装置であって、
前記天板は、前記架台から遠い側にある端部に、前記架台の前面に略平行となるように立設された防護シールドを有することを特徴とする磁気共鳴イメージング装置。
【請求項６】
前記寝台は、前記天板を前記開口部内へ移動可能に支持する天板支持部を有しており、
前記防護シールドは、一端が該防護シールドに接続され、他端が、前記天板支持部に設けられた固定ピンに掛合する掛合部を有し、前記固定ピンとの掛合時に前記防護シールドが前記天板支持部から離れることを阻止する掛合部材を有することを特徴とする請求項５に記載の磁気共鳴イメージング装置。
【請求項７】
前記天板支持部の固定ピンは、天板支持部の長手方向へ横長に形成された案内溝に沿って前記架台の方向へ摺動可能に配設されており、
前記掛合部材は、前記固定ピンとの掛合時に前記防護シールドが前記天板とともに前記天板支持部の長手方向へ移動することを許可することを特徴とする磁気共鳴イメージング装置。
【請求項８】
被検体が挿入される開口部が前面に設けられた架台と、前記開口部に被検体とともに挿入される天板を有する寝台と、前記架台の前面に沿って移動可能に設けられた第一の防護シールドとを有する磁気共鳴イメージング装置の制御装置であって、
前記天板の上下方向への移動方向を検出する寝台移動検出手段と、
前記寝台移動検出手段により、前記天板が上方向へ移動していることが検出された場合に、前記開口部の枠外にある開口部開口位置へ前記第一の防護シールドを移動し、前記寝台が下方向へ移動していることが検出された場合に、前記開口部の前面にある開口部閉口位置へ前記第一の防護シールドを移動するシールド制御手段と、
を備えたことを特徴とする制御装置。
【請求項９】
被検体が挿入される開口部が前面に設けられた架台と、前記開口部に被検体とともに挿入される天板を有する寝台と、前記架台の前面に沿って移動可能に設けられた第一の防護シールドとを有する磁気共鳴イメージング装置の制御プログラムであって、
前記天板の上下方向への移動方向を検出する寝台移動検出手順と、
前記寝台移動検出手順により、前記天板が上方向へ移動していることが検出された場合に、前記開口部の枠外にある開口部開口位置へ前記第一の防護シールドを移動し、前記寝台が下方向へ移動していることが検出された場合に、前記開口部の前面にある開口部閉口位置へ前記第一の防護シールドを移動するシールド制御手順と、
をコンピュータに実行させることを特徴とする制御プログラム。
【発明の詳細な説明】
【技術分野】
【０００１】
この発明は、磁気共鳴イメージング装置、磁気共鳴イメージング装置の制御装置および制御プログラムに関し、特に、磁場による吸引事故の防止に関する。
【背景技術】
【０００２】
従来、磁気共鳴イメージング装置では、核磁気共鳴（Nuclear Magnetic Resonance，ＮＭＲ）を起こすために装置内部に発生させる磁場によって、ガントリー（架台）の開口部内に磁性体が吸引され、その磁性体により装置や被検体（被験者）が損傷する事故が大きな問題となっている。近年では、撮影画像のＳ／Ｎ比の向上などを目的として磁場の強度がさらに強められる傾向があり、これにともなって吸引事故がさらに増加している。
【０００３】
こうした吸引事故を防ぐため、一般的には、磁気共鳴イメージング装置が設置された撮像室に入室する前に、金属探知機などを用いて入室者の携帯品をチェックしたり、ステッカーや高磁場発生中ランプなどを用いて視覚的に注意を喚起したりして、磁性体が撮像室内に持ち込まれないようにしている。
【０００４】
しかし、このような入室前のチェックだけでは、人為的なミスを完全に防ぎきることはできない。そのため、人為的なミスによって磁性体が撮像室内に持ち込まれてしまった場合でも、被検体および装置を守ることができる技術が求められている。
【０００５】
たとえば、特許文献１では、ガントリーの開口部前面に安全衝立を設けることによって、手術具などの磁性体が開口部内へ飛び込むのを防ぐことができる磁気共鳴イメージング装置が開示されている。この磁気共鳴イメージング装置では、安全衝立は、上下または左右に移動可能に設けられており、撮影が行われていない時には、開口部の前面に置かれて磁性体が開口部内へ飛び込むのを防ぎ、撮影時には、被検体が開口部内へ挿入されるのを妨げないように、開口部を塞がない位置に移動される。
【０００６】
【特許文献１】特開２００６−１３６３５９号公報
【発明の開示】
【発明が解決しようとする課題】
【０００７】
しかしながら、上述した従来の磁気共鳴イメージング装置は、撮影中であるか否かに応じて自動的に安全衝立の位置を変えるものではないため、人為的なミスによって安全衝立が開口部前面に移動されなかった場合には、磁場による吸引事故を防ぐことができないという問題があった。
【０００８】
この発明は、上述した従来技術における問題点を解消するためになされたものであり、撮影前後に開口部を自動的に開閉して、磁場による吸引事故を確実に防止することができる磁気共鳴イメージング装置、磁気共鳴イメージング装置の制御装置および制御プログラムを提供することを目的とする。
【課題を解決するための手段】
【０００９】
上述した課題を解決し、目的を達成するため、請求項１記載の本発明は、被検体が挿入される開口部が前面に設けられた架台と、前記開口部へ被検体とともに挿入される天板を備えた寝台とを有する磁気共鳴イメージング装置であって、前記架台の前面に沿って移動可能に設けられた第一の防護シールドと、前記天板の上下方向への移動方向を検出する寝台移動検出手段と、前記寝台移動検出手段により、前記天板が上方向へ移動していることが検出された場合に、前記開口部の枠外にある開口部開口位置へ前記第一の防護シールドを移動し、前記寝台が下方向へ移動していることが検出された場合に、前記開口部の前面にある開口部閉口位置へ前記第一の防護シールドを移動するシールド制御手段と、を備えたことを特徴とする。
【００１０】
また、請求項４記載の本発明は、被検体が挿入される開口部が設けられた架台を有する磁気共鳴イメージング装置であって、前記開口部の枠外にある開口部開口位置と該開口部の前面にある開口部閉口位置との間を移動可能に設けられた防護シールドを有し、該防護シールドが、前記開口部全体を掩覆可能な大きさに形成されていることを特徴とする。
【００１１】
また、請求項５記載の本発明は、被検体が挿入される開口部が前面に設けられた架台と、前記開口部に被検体とともに挿入される天板を有する寝台とを有する磁気共鳴イメージング装置であって、前記天板は、前記架台の反対側の端部に、前記架台の前面に略平行となるように立設された防護シールドを有することを特徴とする。
【００１２】
また、請求項８記載の本発明は、被検体が挿入される開口部が前面に設けられた架台と、前記開口部に被検体とともに挿入される天板を有する寝台と、前記架台の前面に沿って移動可能に設けられた第一の防護シールドとを有する磁気共鳴イメージング装置の制御装置であって、前記天板の上下方向への移動方向を検出する寝台移動検出手段と、前記寝台移動検出手段により、前記天板が上方向へ移動していることが検出された場合に、前記開口部の枠外にある開口部開口位置へ前記第一の防護シールドを移動し、前記寝台が下方向へ移動していることが検出された場合に、前記開口部の前面にある開口部閉口位置へ前記第一の防護シールドを移動するシールド制御手段と、を備えたことを特徴とする。
【００１３】
また、請求項９記載の本発明は、被検体が挿入される開口部が前面に設けられた架台と、前記開口部に被検体とともに挿入される天板を有する寝台と、前記架台の前面に沿って移動可能に設けられた第一の防護シールドとを有する磁気共鳴イメージング装置の制御プログラムであって、前記天板の上下方向への移動方向を検出する寝台移動検出手順と、前記寝台移動検出手順により、前記天板が上方向へ移動していることが検出された場合に、前記開口部の枠外にある開口部開口位置へ前記第一の防護シールドを移動し、前記寝台が下方向へ移動していることが検出された場合に、前記開口部の前面にある開口部閉口位置へ前記第一の防護シールドを移動するシールド制御手順と、をコンピュータに実行させることを特徴とする。
【発明の効果】
【００１４】
請求項１、４、８または９記載の本発明によれば、撮影前後に開口部を自動的に開閉して、磁場による吸引事故を確実に防止することができるという効果を奏する。
【００１５】
請求項５記載の本発明によれば、撮影中に開口部を自動的に塞いで、開口部内に挿入されている被検体を守ることができるという効果を奏する。
【発明を実施するための最良の形態】
【００１６】
以下に添付図面を参照して、この発明に係る磁気共鳴イメージング装置、磁気共鳴イメージング装置の制御装置および制御プログラムの好適な実施例を詳細に説明する。なお、以下に示す実施例では、磁気共鳴イメージング装置を「ＭＲＩ（Magnetic Resonance Imaging）装置」と呼ぶ。
【実施例１】
【００１７】
まず、本実施例１に係るＭＲＩ装置の全体構成について説明する。図１は、本実施例１に係るＭＲＩ装置の全体構成を示す図である。同図に示すように、このＭＲＩ装置１は、ガントリー１０と、寝台２０と、制御装置３０とを有する。
【００１８】
ガントリー１０は、被検体が挿入される開口部１１が前面に設けられた装置であり、開口部１１の内部に静磁場を発生させる静磁場磁石と、傾斜磁場を発生する傾斜磁場コイルと、静磁場磁石によって発生した磁場内に置かれた被検体に対してＲＦパルスを照射するＲＦ送信部とを有する（静磁場磁石、傾斜磁場コイルおよびＲＦ送信部は図示せず）。
【００１９】
寝台２０は、ガントリー１０の開口部１１へ被検体とともに挿入される天板２１を備えた装置であり、天板２１をガントリー１０の開口部１１内へ移動可能に支持する天板支持部２２と、天板支持部２２を上下方向へ移動可能に支持する上下動機構２３とを有する。
【００２０】
制御装置３０は、ＭＲＩ装置１全体の制御を行う装置であり、操作者から指定された撮影条件に基づいて、ガントリー１０の傾斜磁場コイルやＲＦ送信部などを駆動させたり、操作者からの指示に基づいて、寝台２０の天板支持部２２や天板２１などの動作を制御したりする。
【００２１】
ここで、撮影時のＭＲＩ装置１の動作について簡単に説明しておく。まず、撮影前は、寝台２０の天板支持部２２は、ガントリー１０の外部で開口部１１よりも低い初期位置に停止している。撮影を始める場合には、まず、天板２１に被検体が載置され、その後、操作者からの指示に基づいて、天板支持部２２がガントリー１０の開口部１１の略中心と同じ高さまで上方向へ移動され、続いて、天板２１が被検体とともに開口部１１内へ移動（挿入）される。
【００２２】
天板２１が開口部１１内へ移動されると、続いて撮影が行われる。具体的には、まず、ガントリー１０の開口部１１内で、ＲＦ送信部が被検体に対してＲＦパルスを照射する。このＲＦパルスによって、被検体から核磁気共鳴信号が発せられる。この核磁気共鳴信号は、被検体に装着されたＲＦコイルなどによって検出され、図示していない画像処理装置に送信される。そして、画像処理装置が、送信された信号に基づいて所定の演算処理を行って、被検体の画像を再構成する。
【００２３】
撮影が終わると、天板２１が被検体とともに開口部１１の外に移動され、続いて、天板支持部２２が初期位置まで下方向へ移動される。
【００２４】
以上、撮影時のＭＲＩ装置の構成および動作について説明したが、上記の構成に加えて、本実施例１に係るＭＲＩ装置は、さらに、開口部１１を塞ぐためのガントリー部防護シールド１２をガントリー１０部の前面に有しており、このガントリー部防護シールド１２を用いて、撮影前後に自動的に開口部１１を開けたり塞いだりする点に主な特徴がある。
【００２５】
具体的には、まず、ガントリー部防護シールド１２は、アクリル板などの板状の部材であり、ガントリー１０の前面に沿って上下方向へ移動可能に設けられている。このガントリー部防護シールド１２は、撮影が行われていない場合には、図１に示すように、開口部１１を塞ぐことができる位置で停止している。
【００２６】
そして、制御装置３０が、天板支持部２２が移動しているか否かを常時検出し、天板支持部２２が上方向へ移動していることを検出した場合には、撮影が始まると判定して、開口部開口位置へガントリー部防護シールド１２を移動させる。一方、天板支持部２２が下方向へ移動していることを検出した場合には、制御装置３０は、撮影が終わったと判定して、開口部閉口位置へガントリー部防護シールド１２を移動させる。
【００２７】
このように、本実施例１に係るＭＲＩ装置１では、制御装置３０が、天板支持部２２の移動方向を検出し、その移動方向に基づいてガントリー部防護シールド１２を上下に移動させることによって、撮影前後に自動的に開口部１１を開けたり塞いだりすることができるようにしている。以下、かかるＭＲＩ装置の機能構成および動作について詳細に説明してゆく。
【００２８】
最初に、本実施例１に係るＭＲＩ装置１の機能構成について説明する。図２は、本実施例１に係るＭＲＩ装置１の機能構成を示すブロック図である。同図は、図１に示したＭＲＩ装置１の機能構成を示しており、ＭＲＩ装置１の構成要素であるガントリー１０、寝台２０および制御装置３０の機能構成をそれぞれ示している。
【００２９】
ガントリー１０は、静磁場磁石や傾斜磁場コイルなど被検体の体内から核磁気共鳴信号を発生させるための各種機能部を有する架台であり、本発明に関連するものとしては、ガントリー部防護シールド１２と、モーター１３と、コントローラー１４とを有する。モーター１３は、ガントリー部防護シールド１２を上下方向へ移動するための駆動装置であり、コントローラー１４は、制御装置３０からの要求に基づいてモーター１３を駆動することによって、ガントリー部防護シールド１２を上下方向へ移動させる処理部である。
【００３０】
図３は、ガントリー部防護シールド１２を説明するための図である。同図に示すように、ガントリー部防護シールド１２は、具体的には、開口部１１全体を覆うことが可能な大きさに形成されており、開口部１１前面の開口部１１を塞ぐ位置（同図（ａ）を参照）と、開口部１１の上部枠外にある開口部１１を開ける位置（同図（ｂ）を参照）との間を移動することができる。ここでは、同図（ａ）に示す位置を「開口部閉口位置」と呼び、同図（ｂ）に示す位置を「開口部開口位置」と呼ぶ。
【００３１】
通常、ＭＲＩ装置では、開口部１１内の内壁部が最も磁力が強い。そこで、ここで説明したように、開口部１１全体を覆うことが可能な大きさのガントリー部防護シールド１２を用いることによって、開口部１１を完全に塞ぐことが可能になり、磁場による吸引事故を確実に防ぐことができるようになる。
【００３２】
寝台２０は、被検体が載置される天板２１と、天板２１をガントリー１０の開口部１１内へ移動可能に支持する天板支持部２２と、天板支持部２２を上下方向へ移動可能に支持する上下動機構２３とを有する寝台装置である（図１を参照）。この寝台２０は、天板支持部２２の移動を検知するためのセンサーを備えており、このセンサーにより天板支持部２２が移動していることを検知すると、天板支持部２２の移動方向（上方向または下方向）を示す移動情報を生成し、制御装置３０に対して送信する。
【００３３】
制御装置３０は、ＭＲＩ装置１の動作を制御するための各種機能部を有する制御装置であり、本発明に関連するものとしては、寝台移動検出部３１と、シールド制御部３２とを有する。
【００３４】
寝台移動検出部３１は、寝台２０から送信される移動情報に基づいて天板支持部２２の上下動を検出し、検出した結果をシールド制御部３２に通知する処理部である。具体的には、この寝台移動検出部３１は、寝台２０から移動情報が送信されると、その移動情報に基づいて、天板支持部２２が上方向に移動しているか、または、下方向に移動しているかを検出し、検出結果をシールド制御部３２に通知する。
【００３５】
シールド制御部３２は、寝台移動検出部３１から通知される天板支持部２２の移動に関する検出結果に基づいて、ガントリー１０のコントローラー１４を制御する処理部である。具体的には、このシールド制御部３２は、天板支持部２２が上方向に移動していることを寝台移動検出部３１から通知された場合には、ガントリー１０のコントローラー１４に対して、ガントリー部防護シールド１２を上方向へ移動するよう要求する。一方、シールド制御部３２は、天板支持部２２が下方向に移動していることを寝台移動検出部３１から通知された場合には、ガントリー１０のコントローラー１４に対して、ガントリー部防護シールド１２を下方向へ移動するよう要求する。
【００３６】
このように、寝台移動検出部３１が、寝台２０から送信される移動情報に基づいて天板支持部２２の上下動を検出し、シールド制御部３２が、寝台移動検出部３１の検出結果に基づいて、ガントリー１０のコントローラー１４を制御するので、天板支持部２２の移動方向に基づいてガントリー部防護シールド１２を上下に移動させることができる。
【００３７】
次に、本実施例１に係るＭＲＩ装置１の動作について説明する。図４は、本実施例１に係るＭＲＩ装置１の処理手順を示すフローチャートである。同図に示すように、このＭＲＩ装置１では、寝台２０が天板支持部２２の移動を検知すると（ステップＳ１０１，Ｙｅｓ）、制御装置３０が、寝台２０から送信される移動情報に基づいて、天板支持部２２の移動方向が上方向であるか下方向であるかを検出する。
【００３８】
そして、移動方向が上方向であることを検出した場合には（ステップＳ１０２，Ｙｅｓ）、制御装置３０は、ガントリー１０に対してガントリー部防護シールド１２を上方向へ移動するように要求し、この要求に応じて、ガントリー１０がガントリー部防護シールド１２を上方向へ移動する（ステップＳ１０３）。これにより、開口部１１が自動的に開けられる。
【００３９】
一方、制御装置３０は、移動方向が下方向であることを検出した場合には（ステップＳ１０２，Ｎｏ、ステップＳ１０４，Ｙｅｓ）、ガントリー１０に対してガントリー部防護シールド１２を下方向へ移動するように要求し、この要求に応じて、ガントリー１０がガントリー部防護シールド１２を下方向へ移動する（ステップＳ１０５）。これにより、開口部１１が自動的に塞がれる。
【００４０】
このように、制御装置３０が、天板支持部２２が上方向へ移動していることを検出した場合には、撮影が始まると判定して開口部１１を開け、一方、天板支持部２２が下方向へ移動していることを検出した場合には、撮影が終わったと判定して開口部１１を塞ぐので、撮影前後に開口部１１を自動的に開閉することができる。
【００４１】
上述してきたように、本実施例１では、ガントリー部防護シールド１２をガントリー１０の前面に沿って移動可能に設け、制御装置３０が、天板２１とともに移動する天板支持部２２の上下方向への移動方向を検出し、天板２１が上方向へ移動していることを検出した場合には、開口部１１の枠外にある開口部開口位置へガントリー部防護シールド１２を移動し、天板２１が下方向へ移動していることを検出した場合には、開口部１１の前面にある開口部閉口位置へガントリー部防護シールド１２を移動するので、撮影前後に開口部を自動的に開閉して、磁場による吸引事故を確実に防止することができる。
【実施例２】
【００４２】
ところで、上記実施例１では、ガントリー１０の開口部１１前面にガントリー部防護シールド１２を設けた場合について説明したが、さらに寝台２０に防護シールドを設け、撮影中は、この防護シールドを用いて開口部１１を塞ぐようにすることもできる。そこで、以下では、実施例２として、寝台２０に防護シールドを設けた場合を説明する。なお、本実施例２では、説明の便宜上、図１および図２に示した各部と同様の役割を果たす機能部については、同一符号を付すこととしてその詳細な説明を省略する。
【００４３】
まず、本実施例２に係るＭＲＩ装置の全体構成について説明する。図５は、本実施例２に係るＭＲＩ装置の全体構成を示す図である。同図に示すように、このＭＲＩ装置２は、ガントリー１０と、寝台２０と、制御装置３０とを有し、さらに、実施例１で説明したガントリー部防護シールド１２を有している。
【００４４】
上記の構成に加えて、本実施例２に係るＭＲＩ装置２は、さらに、寝台２０に設けられた寝台部防護シールド２４を有しており、この寝台部防護シールド２４を用いて、撮影中に開口部１１を塞ぐ点に主な特徴がある。
【００４５】
具体的には、まず、寝台部防護シールド２４は、アクリル板などの板状の部材であり、ガントリー１０から遠い側の天板２１の端部に、ガントリー１０の前面と略平行となるように立設されている。
【００４６】
図６は、寝台部防護シールド２４を説明するための図である。同図に示すように、寝台部防護シールド２４は、具体的には、ガントリー１０の開口部１１全体を覆うことが可能な大きさに形成されており、同図（ａ）に示すように、天板２１上部のガントリー１０とは反対側の端部に、天板２１に対して垂直に立設されている。
【００４７】
かかる寝台部防護シールド２４は、天板２１の端部に設けられているため、天板２１が移動されると、天板２１とともにガントリー１０の方向へ移動する。これにより、寝台部防護シールド２４は、撮影中に天板２１がガントリー１０の開口部１１に挿入された状態では、同図（ｂ）に示すように、開口部１１前面に移動して開口部１１を塞ぐことができる。
【００４８】
なお、一般的に、天板２１は板状に形成された部材であるため、端部に寝台部防護シールド２４を設けた場合には、設置部分の強度が懸念される。そこで、同図（ａ）に示すように、固定治具２５を用いて天板２１に寝台部防護シールド２４を固定するようにしてもよい。
【００４９】
上述してきたように、本実施例２に係るＭＲＩ装置２では、天板２１のガントリー１０とは反対側にある端部に寝台部防護シールド２４を設け、天板２１がガントリー１０の開口部１１に挿入された場合に、寝台部防護シールド２４が、天板２１とともにガントリー１０の方向へ移動して開口部１１を塞ぐので、撮影中に自動的に開口部を塞いで、開口部１１内に挿入されている被検体を守ることができる。
【００５０】
また、本実施例２に係るＭＲＩ装置２では、撮影後には、ガントリー部防護シールド１２によって開口部１１が塞がれ、撮影中には、寝台部防護シールド２４によって開口部１１が塞がれるので、これら２つの防護シールドの組み合わせによって、より強固に磁場による吸引事故を防ぐことができる。
【００５１】
ところで、上記実施例２では、天板２１に寝台部防護シールド２４を設けることとしたが、一般的に、天板２１は天板支持部２２や上下動機構２３に比べて軽量である。そのため、磁場によって吸い寄せられた磁性体が寝台部防護シールド２４に衝突した場合に、その衝撃によって、寝台部防護シールド２４が天板２１もろとも天板支持部２２から外れてしまう恐れがある。
【００５２】
そこで、一端が寝台部防護シールド２４に接続され、他端が、天板支持部２２に設けられた固定ピンに掛合される掛合部材（留め金）を用いて、寝台部防護シールド２４が天板支持部２２から外れるのを防ぐようにしてもよい。
【００５３】
図７および８は、掛合部材の一例を示す図（１）および（２）である。たとえば、図７（ａ）に示すように、掛合部材２６は、一端が、寝台部防護シールド２４の下部に設けられた軸支ピン２７によって回動自在に軸支されており、他端には、天板支持部２２の側面に配設された固定ピン２８に掛合可能な掛合部２６ａが形成されている。
【００５４】
一方、天板支持部２２の側面には、長手方向に形成された横長の案内溝２９が設けられており、この案内溝２９に沿って摺動可能となるように、固定ピン２８が配設されている。
【００５５】
そして、同図（ｂ）に示すように、上述した掛合部材２６の掛合部２６ａと天板支持部２２の固定ピンとを掛合することによって、図８に示すように、寝台部防護シールド２４が天板２１とともに水平方向へ移動を許可するとともに、寝台部防護シールド２４が天板支持部２２から離れるのを阻止することが可能になる。これにより、衝撃によって天板２１および寝台部防護シールド２４が天板支持部２２から外れるのを防ぐことができる。
【産業上の利用可能性】
【００５６】
以上のように、本発明に係る磁気共鳴イメージング装置、磁気共鳴イメージング装置の制御装置および制御プログラムは、磁場による吸引事故を防ぐ場合に有用であり、特に、人為的なミスによる吸引事故を防ぐ場合に適している。
【図面の簡単な説明】
【００５７】
【図１】本実施例１に係るＭＲＩ装置の全体構成を示す図である。
【図２】本実施例１に係るＭＲＩ装置の機能構成を示すブロック図である。
【図３】ガントリー部防護シールドを説明するための図である。
【図４】本実施例１に係るＭＲＩ装置の処理手順を示すフローチャートである。
【図５】本実施例２に係るＭＲＩ装置の全体構成を示す図である。
【図６】寝台部防護シールドを説明するための図である。
【図７】掛合部材の一例を示す図（１）である。
【図８】掛合部材の一例を示す図（２）である。
【符号の説明】
【００５８】
１，２    ＭＲＩ装置（磁気共鳴イメージング装置）
１０    ガントリー
１１    開口部
１２    ガントリー部防護シールド
１３    モーター
１４    コントローラー
２０    寝台
２１    天板
２２    天板支持部
２３    上下動機構
２４    寝台部防護シールド
２５    固定治具
２６    掛合部材
２６ａ    掛合部
２７    軸支ピン
２８    固定ピン
２９    案内溝
３０    制御装置
３１    寝台移動検出部
３２    シールド制御部 
【図１】
2008302080.tif 000003
【図２】
2008302080.tif 000004
【図３】
2008302080.tif 000005
【図４】
2008302080.tif 000006
【図５】
2008302080.tif 000007
【図６】
2008302080.tif 000008
【図７】
2008302080.tif 000009
【図８】
2008302080.tif 000010